(57)【特許請求の範囲】
【請求項１】
加工物を精密切削加工するための工具であって、少なくとも１つの刃物板とこの刃物板に作用する少なくとも１つの調整装置とを有するものにおいて、前記調整装置（２５）が、前記刃物板（１１）の側面領域にわたって延びる変位要素（２７；２７’）と、この変位要素を前記刃物板に対して変位させる調節ねじ（３１）とを含み、
前記変位要素（２７；２７’）は、前記刃物板（１１）の側面と協動する調節面（２９）を有し、該調節面（２９）は互いに離間配置されている当接面（２９ａ、２９ｂ）を含んでおり、
前記調節面（２９）に隣接する壁領域は、Ｖ形に延びてＶ形に配置された接触面（５１、５１’）に構成されており、
前記接触面（５１、５１’）は、湾曲もしくは円弧状に湾曲した領域（５３）を介して互いに接続されており、
前記工具（１）の本体（４）には、前記接触面（５１、５１’）の領域でのみ接触する接触面を有する凹部が設けられており、
前記領域（５３）の曲率半径が、前記本体（４）の凹部の前記接触面を接続している領域の曲率半径よりも大きいことを特徴とする工具。
【請求項２】
前記変位要素（２７；２７’）が円筒形延長部（３５）を含むことを特徴とする、請求項１記載の工具。
【請求項３】
前記調整装置（２５）が第２変位要素（２７’）を有し、この変位要素が前記刃物板（１１）の第２側面に割当てられており、かつ前記調節ねじ（３１）によって前記刃物板（１１）に対して変位可能であることを特徴とする、請求項１または２記載の工具。
【請求項４】
前記刃物板（１１）が刃物板に挿通される締付ねじ（１９）によって前記工具（１）の本体（４）に固定可能であることを特徴とする、請求項１から３のいずれか１項記載の工具。
【請求項５】
前記本体（４）は実質円筒形に構成されており、前記刃物板（１１）が前記調整装置（２５）によって前記工具（１）の中心線（３３）の方向で変位可能であることを特徴とする、請求項１から４のいずれか１項記載の工具。
【請求項６】
前記本体（４）は実質円筒形に構成されており、前記刃物板（１１）が前記調整装置（２５）によって前記工具（１）の中心線（３３）に対して角度を成して変位可能であることを特徴とする、請求項１から５のいずれか１項記載の工具。
【請求項７】
前記変位要素（２７；２７’）を変位させることにより、前記締付ねじ（１９）が復元力を生成しながらその長手方向を横切って弾性変形することを特徴とする、請求項１から６のいずれか１項記載の工具。
【発明の詳細な説明】
【０００１】
【発明の属する技術分野】
本発明は、請求項１の前文に記載された加工物を精密切削加工するための工具に関する。
【０００２】
【従来の技術】
ここで問題とする種類の工具は公知である。それらは少なくとも１つの刃物板を有し、工具もしくは刃物板の切刃と加工物との間に相対運動が実現されることによって、刃物板によって加工物から切屑が除去される。大抵、固定された加工物を加工するために工具が回転させられる。前記少なくとも１つの刃物板は調整装置によって変位可能である。その際、刃物板の厳密な方向決め（ｏｒｉｅｎｔａｔｉｏｎ）が実現不可能またはかなりの手間をかけてのみ実現可能であることが判明した。
【０００３】
【発明が解決しようとする課題】
そこで本発明の課題は、この欠点を取り除いた工具を提供することである。
【０００４】
【課題を解決するための手段】
この課題を解決するために、請求項１に指摘された特徴を特徴とする工具が提案される。この工具は、変位要素を含む調整装置を特徴としている。変位要素は刃物板の側面領域にわたって延びてこの側面に当接している。こうして調整装置と刃物板との間の点状接触は避けられる。同時に、変位要素が刃物板の側面領域にわたって延びている事実に基づいて刃物板の厳密な位置決めが可能である。
【０００５】
好ましい工具実施例は、互いに離間配置される２つの当接面を含む調節面を変位要素が有することを特徴としている。換言するなら、刃物板と変位要素との間に互いに離間配置される２つの接触領域を実現するために調節面が中断部を有する。
【０００６】
特別好ましい実施例の工具は、調整装置が２つの変位要素を有し、これらの変位要素が刃物板の異なる側面に作用し、こうしてさまざまな調整方向を可能とする。
【０００７】
その他の諸構成は残りの請求項から明らかとなる。
【０００８】
【発明の実施の形態】
本発明は以下に図面に基づいて詳しく説明される。
【０００９】
図示原理図は工具１を正面図で示し、つまり工具の正面３を示す。工具１の本体４はこの場合例として実質円筒形に構成されている。本体が凹部を備えており、この凹部は工具１の長手方向に延び、切屑室５として役立つ。切屑室５の境界面７に凹部９が設けられており、この凹部内に刃物板１１が嵌挿されている。刃物板１１は周面１３から張り出す稜が切刃１５として役立ち、また加工物から切屑を除去するのに役立つ。工具１は例えば、加工物の円で示唆した穴表面１７の精密加工に役立つ。
【００１０】
ここに示した実施例では刃物板１１が締付ねじ１９によって工具１の本体に固着されており、この締付ねじは刃物板１１に挿通されて刃物板をねじ頭部によって確実に保持する。刃物板１１を従来の締付爪によって工具１の本体に固着することも可能である。図１は刃物板１１を側面図で示す。上側側面２１と下側側面２３が互いに円錐状に接近して鋭角を成し、この鋭角が右から左へと開口しているのがわかる。これにより、いわゆる正の逃げ角が実現される。側面２１は切刃１５から出発して左から右へと下降している一方、下側側面２３は左から右へと上昇している。
【００１１】
下側側面２３と協動する調整装置２５が変位要素２７を含む。この変位要素が調節面２９を備えており、この調節面は刃物板１１の下側側面２３に平面的に当接し、右から左へと下降している。変位要素２７は調節ねじ３１によって刃物板１１に対して変位可能である。下側側面２３と調節面２９とによっていわばくさび伝動装置が形成される。変位要素２７を左に変位させると刃物板１１は工具１の回転軸もしくは中心線３３に対して半径方向外方に変位される。
【００１２】
変位要素２７が、好ましくは円筒形に構成される延長部３５を有し、この延長部は工具１の本体４に設けられる相応の凹部内に収容されており、変位要素２７を工具１内で案内するのに役立つ。
【００１３】
図１の図示では工具１の本体４が一部省略されており、締付ねじ１９と延長部３５と調節ねじ３１を見ることができる。調節ねじ３１は本体４に設けられる穴に収容されており、この穴は右向きに開口し、つまり周面１３と交差する。これにより調節ねじ３１は右から自由に接近可能である。しかし、切屑室５を大きく構成して調節ねじ３１が左からも切屑室５を介して接近可能となるようにすることも可能である。
【００１４】
図２が平面図で示す工具１の前部が刃物板１１を備えており、刃物板の上側長手稜が切刃１５を形成し、右上隅３７がやはり刃物板１１の切刃に属している。刃物板はこの場合例えば実質正方形に構成されている。しかし刃物板は例えば平行四辺形または菱形として構成しておくこともできる。締付ねじ１９の頭部をはっきり認めることができ、この締付ねじは刃物板１１に挿通されて工具１の本体内で固定されている。締付ねじによって刃物板１１は凹部９の底に全面が押し付けられる。ここで調整装置２５、特に変位要素２７をはっきり認めることができ、この変位要素は刃物板１１の下側側面２３の領域にわたって延びている。変位要素は好ましくは刃物板１１の側面の主要部分にわたっており、特に事実上その全幅にわたっている。この平面図でも認めることのできる延長部３５は下側で変位要素から突出している。調節ねじ３１はこの場合、締付ねじ１９と同様に図２の図示平面に垂直に延びている。
【００１５】
図２の図示から認めることができるように、調整装置２５が変位要素２７を含み、この変位要素は相応に変位されると刃物板１１を中心線３３に対して９０°の角度で摺動させる。こうして工具１の加工半径が、つまり周面１３に対する切刃１５の張り出し量が、調整可能である。
【００１６】
図２から認めることができるように、刃物板１１は正面３に対しても突出している。
【００１７】
図３は工具１の第１変形態様を示す。同じ要素には同じ符号が付けてあり、それらに関しては図１、図２の説明を参照するように指示する。
【００１８】
図３に示す実施例が図２に示す実施例に対してもっぱら相違する点として、調整装置２５は刃物板１１と工具１の中心線３３との間にではなく刃物板１１の内側側面３９に配置されており、この側面がこの場合中心線１３に対して実質垂直に、かつ外側側面４１と平行に延びており、この外側側面が工具１の正面３から突出している。
【００１９】
図３に示す調整装置２５および付属の変位要素２７の配置では調節ねじ３１によって刃物板１１の軸方向摺動が達成され、刃物板の外側側面４１は工具１の正面３から多かれ少なかれ突出する。
【００２０】
図４に示す変形実施例の工具１は、調整装置２５が２つの変位要素２７、２７’を有し、図２に基づいて説明したように第１変位要素が刃物板１１と工具中心線３３との間に配置されており、また図３に基づいて説明したように第２変位要素２７’が正面３から離間して中心線３３に対して垂直に延びている点を特徴としている。こうして、周面１３からの刃物板の張り出しも正面３からの刃物板の張り出しも調整し、つまり工具の半径と長さを調整することが可能となる。
【００２１】
図５は変位要素の１つ、例えば調整装置２５の変位要素２７を、さらに調節ねじ３１を、さまざまな図で示す。図５の左上に調節ねじ３１が側面図で示してある。これはいわゆる差動ねじであり、異なる雄ねじを備えた２つの分離された領域を有し、例えば左側領域４３は右ねじ、右側領域４５は左ねじとして構成されている。当然にねじ領域は入れ替えておくこともできる。配向の異なるねじ領域であることが重要である。
【００２２】
調節ねじ３１の右側に変位要素２７が、図１と同様に側面図で示してある。さらにその右側に変位要素２７が、図２および図４と同様に正面図で示してある。右上には変位要素２７がやはり側面図で示してあり、但しこの場合変位要素２７の左側が示してある。図５の下側に変位要素２７が平面図で示してあり、調節面２９も平面図で認めることができる。図５の図示から明らかとなる円筒形延長部３５は変位要素２７を工具１の本体内で案内するのに役立つ。調節ねじ３１を受容するのに役立つ穴４７が変位要素２７のさまざまな図示にはっきり認めることができる。この穴が延長部３５を貫通している。
【００２３】
図５の上側列でわかるように、調節面２９は変位要素２７の破線で示唆した中心平面４７に対して傾いている。調節面２９の傾き角は変位要素２７が当接する刃物板１１の側面の傾き角に調整されている。
【００２４】
調節面２９は、特別好ましくは、互いに離間した２つの当接面２９ａ、２９ｂを有するように構成される。その間にある領域２９ｃが隣接領域に対して下降しており、この場合変位要素２７は刃物板１１の付属する側面に接触しない。この構成によって、変位要素２７が刃物板１１の付属する側面に平面的に当接することが確保され、刃物板１１が比較的広い面で支えられることは調整装置２５によって保証されている。特に、従来一般に使用される調節ねじの多かれ少なかれ点状の当接は防止される。
【００２５】
図６は変位要素２７の変形実施例を平面図で示す。上記のものに一致する部材には同じ符号が付けてあり、それらに関しては図１〜図５の説明を参照されたい。
【００２６】
変位要素２７が調節面２９を有し、この調節面は、図５に基づいて説明したように、互いに離間配置される２つの当接面２９ａ、２９ｂを有する。当接面の間に下降領域２９ｃが設けられており、この下降領域は変位要素を嵌挿すると刃物板１１の付属する側面に接触しない。
【００２７】
変位要素２７に穴４７が設けられており、ここには図示しない締付ねじがこの穴に嵌挿可能である。
【００２８】
ここに示す実施例の変位要素２７は、横方向で調節面２９に隣接する壁領域がＶ形に構成されており、このＶが上から下へと調節面２９の方向で開いていることを特徴としている。こうして相反する側の２つの接触面５１、５１’が得られ、調節面２９とは反対側の下側領域５３が丸くされていることによって接触面の長さは決定されている。変位要素２７の側壁の領域５３と調節面２９との間の直線部分が接触面として利用される。
【００２９】
両方の接触面５１、５１’を結ぶ領域５３は湾曲構成されている。その外輪郭は好ましくは円弧に従う。円弧の半径は好ましくは工具１の本体４に設けられる凹部の半径よりも大きく選定されており、この凹部に変位要素２７が嵌挿される。これにより、変位要素２７が工具１の本体４に接触面５１、５１’の領域でのみ接触することが確保されている。
【００３０】
工具１の本体４の相応する当接面と協動するＶ形接触面５１、５１’によって変位要素２７の、従って調節面２９の、厳密な角度方向決め（ａｎｇｕｌａｒ  ｏｒｉｅｎｔａｔｉｏｎ）が得られる。この厳密な方向決めは変位要素２７と協動する刃物板１１が厳密に方向決めされることを可能とし、こうして例えば刃物板１１の前稜（例えば図２参照）から左へと傾斜する副切刃の希望する傾斜を可能とする。
【００３１】
図７に示す変位要素２７の側面図は、この変位要素が実質的に、図１〜図５に基づいて説明した変位要素と同様に構成されていることを示す。図７から接触面５１、５１’の幅Ｂを認めることができる。接触面５１、５１’がどの程度下方に達しているのかは第１の線５５で示唆されている。第２の線５７は、接触面５１、５１’が完全には調節面２９にまで達していなくてもよいことを示唆している。
【００３２】
重要なのは、図６、図７に基づいて説明した変位要素２７が、接触面５１、５１’のＶ形方向決めもしくは角柱状方向決めによって変位要素２７も調節面２９も厳密に方向決めされていることを特徴としている点である。
【００３３】
図６、図７に基づいて説明した変位要素は、図２、図３に基づいて述べたように単独で利用することができる。しかし、図４に基づいて説明したように２つのこのような変位要素を使用することも可能である。
【００３４】
特別有利には、調整装置２５がごく単純に構成されており、刃物板１１の側面の正の逃げ角によって与えられた傾きはくさび伝動装置を形成するのに利用される。つまり、変位要素２７および／または第２変位要素２７’の変位によって刃物板１１を中心線３３の方向でおよび／または中心線に対して角度を成して変位させることが簡単に可能である。
【００３５】
変位量は実際には比較的小さく、実質的に、刃物板１１および／または刃物板を受容する凹部９の製造公差を補償するのに役立つ。さらに、ここに述べた調整装置によって、締付ねじ１９と刃物板１１との間になお存在することのある遊隙を補償することができる。特に刃物板の沈降運動、つまり工具１を最初に利用するときの刃物板１１の位置移動は、簡単確実に防止することができる。
【００３６】
図１〜図７の説明から容易に明らかとなるように、ここに述べた調整装置は工具が複数の刃物板を有する場合にも、そして特にその場合に、利用することができる。その場合調整装置２５によってさまざまな刃物板の間の寸法差も補償することができ、つまり１つの刃物板１１の各切刃１５に存在する寸法差を補償できるだけではない。
【００３７】
最後に、ここに述べた調整装置２５は、その外輪郭が円筒形でなく、少なくとも完全には円筒形でない工具と一緒にも使用することができる。いずれにしても刃物板の調整と位置決めを最適に与えることができることが保証されており、加工物の精密加工時に寸法設定は厳密に守ることができる。
【００３８】
上で述べたことから明らかとなるように、調節ねじ３１を一方の回転方向に回すと変位要素２７が変位し、変位要素２７が刃物板１１にくさび状に当接することに基づいて刃物板１１は半径方向外方に押しのけられ、刃物板１１を保持する締付ねじ１９が弾性変形する。調節ねじ３１が−調整作業の過程で−逆回転方向に回されると、変位要素２７は相応する別方向に変位し、これにより刃物板１１にくさび状に当接することに基づいて刃物板は半径方向内向き位置に戻される。この戻し運動は締付ねじ１９の弾性変形に基づいて、変位要素２７の変位量に依存して既存の残留応力が再び小さくなることによって起きる。つまり、刃物板１１を工具と一緒に内方に打ち込む必要はなく、この逆変位は調節ねじ３１の調整に依存して自動的に起きる。
【図面の簡単な説明】
【図１】工具の正面原理図である。
【図２】工具部分の側面図である。
【図３】図２に示す工具の第１変形態様を示す。
【図４】図２に示す工具の他の変形態様を示す。
【図５】変位要素の図である。
【図６】変形実施例の変位要素の平面図である。
【図７】図６に示す変位要素の側面図である。
【符号の説明】
１１…刃物板、２５…調整装置、２７…変位要素、２７’…変位要素、３１…調節ねじ
【図１】
0003893046.tif 000002
【図２】
0003893046.tif 000003
【図３】
0003893046.tif 000004
【図４】
0003893046.tif 000005
【図５】
0003893046.tif 000006
【図６】
0003893046.tif 000007
【図７】
0003893046.tif 000008